(57)【特許請求の範囲】
【請求項１】
移動体を本体側の第１位置から第２位置又は第２位置から第１位置に切り換える操作を助ける摺動補助機構を構成している引込ユニットにおいて、
前記引込ユニットは、長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなり、
一方側の前記ラッチが前記ケースの係止溝に係止された状態で、前記移動体を、前記第２位置から第１位置の途中、又は第１位置から第２位置の途中まで切り換えると、前記引込ユニットに対応して設けられる作動部材により前記一方のラッチの前記係止を解除して、前記移動体を途中から前記付勢手段の付勢力により第１位置又は第２位置まで引き込むことを特徴とする引込ユニット。
【請求項２】
前記ラッチは、外面に突設された凸部を有し、前記凸部が前記係止溝に係合されることを特徴とする請求項１に記載の引込ユニット。
【請求項３】
前記ラッチは、前記シリンダー及び前記ピストンロッド先端にそれぞれ設けられたスライダーに枢支されていることを特徴とする請求項１又は２に記載の引込ユニット。
【請求項４】
前記付勢手段は、一端が前記スライダーの一方に係止され、他端が前記スライダーの他方に係止されているコイルスプリングであり、前記スライダー同士を接近する方向へ付勢可能にすることを特徴とする請求項３に記載の引込ユニット。
【請求項５】
移動体を本体側の閉位置から開位置又は開位置から閉位置に切り換える操作を助ける摺動補助機構において、
長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の枠上辺に備えられ、前記移動体が引戸であって前記ケースの係止溝に対する前記ラッチの係止を解除する作動部材を突設しており、
一方側の前記ラッチが前記ケースの係止溝に係止された状態で、前記引戸を、前記開位置から閉位置の途中、又は前記閉位置から開位置の途中まで切り換えると、前記作動部材により前記一方のラッチの前記係止を解除し、かつ当該作動部材を該ラッチと共に前記他方のラッチ側へ前記付勢手段を介した接近駆動を伴って閉位置又は開位置まで引き込むことを特徴とする摺動補助機構。
【請求項６】
移動体を本体側の閉位置から開位置又は開位置から閉位置に切り換える操作を助ける摺動補助機構において、
長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の枠下辺に備えられ、前記移動体が引戸であって前記ケースの係止溝に対する前記ラッチの係止を解除する作動部材を突設しており、
一方側の前記ラッチが前記ケースの係止溝に係止された状態で、前記引戸を、前記開位置から閉位置の途中、又は前記閉位置から開位置の途中まで切り換えると、前記作動部材により前記一方のラッチの前記係止を解除し、かつ当該作動部材を該ラッチと共に前記他方のラッチ側へ前記付勢手段を介した接近駆動を伴って閉位置又は開位置まで引き込むことを特徴とする摺動補助機構。
【請求項７】
移動体を本体側の押込位置から引出位置又は引出位置から押込位置に切り換える操作を助ける摺動補助機構において、
長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の収納部に備えられ、前記移動体が引出体であって前記ケースの係止溝に対する前記ラッチの係止を解除する作動部材を突設しており、
一方側の前記ラッチが前記ケースの係止溝に係止された状態で、前記引出体を、前記引出位置から押込位置の途中、又は前記押込位置から引出位置の途中まで切り換えると、前記作動部材により前記一方のラッチの前記係止を解除し、かつ当該作動部材を該ラッチと共に前記他方のラッチ側へ前記付勢手段を介した接近駆動を伴って押込位置又は引出位置まで引き込むことを特徴とする摺動補助機構。
【請求項８】
請求項５，６，７のいずれかにおいて、前記ラッチは、前記シリンダー及び前記ピストンロッド先端にそれぞれ設けられたスライダーに枢支されていることを特徴とする摺動補助機構。
【請求項９】
前記付勢手段は、一端が前記スライダーの一方に係止され、他端が前記スライダーの他方に係止されているコイルスプリングであり、前記スライダー同士を接近する方向へ付勢可能にすることを特徴とする請求項８に記載の引込ユニット。
【発明の詳細な説明】
【技術分野】
【０００１】
本発明は、移動体を本体側の第１位置から第２位置、第２位置から第１位置に切り換える操作を助ける摺動補助機構及びそれに用いられる引込ユニットに関する。
【背景技術】
【０００２】
図１１は特許文献１に開示されている構造を示し、符号２１は本体側開口部の枠上辺に取り付けられる引込ユニット（引戸クローザ）であり、符号３は移動体である引戸側に設けられる作動部材（係合ピン）である。この引込ユニット２１は、ケース２２と、フック体３６と、付勢手段３５等からなる。ケース２２は、矩形容器状をなし、一端側から長手方向に延びている係合溝部２５と、摺動溝部３１（直線の移動溝部３２及び移動溝部３２の一端側で折り曲げられている回動溝部３３からなる）とを形成している。フック体３６は、作動部材３を係脱する保持凹部４６と、摺動溝部３１に嵌合する係合凸部４４，４５とを形成している。付勢手段３５は、一端をフック体３６に係止し、他端をケース２２側に係止した状態で、フック体３６を摺動溝部３１の他端側へ付勢しており、引戸が閉位置から開方向へ摺動される過程で付勢力を蓄積する。作動部材３は、引戸の上端面に対し自動復帰機構４を介してプレート５の摺動孔８に沿って揺動可能、かつ不図示の付勢力で復帰可能に取り付けられている。
【０００３】
以上の構造では、引戸の閉操作によって図１１（ａ）のごとく作動部材３を本体側の引込ユニット２１へ向けて移動させる。すると、作動部材３は、係合溝部２５に嵌合され、この係合溝部２５に沿って摺動した後、同（ｂ）の図ごとくフック体３６の保持凹部４６と係合して保持される。この過程において、フック体３６は、係合凸部４４が摺動溝部３１の回動溝部３３に案内されながら、係合凸部４５を中心として回転して待機姿勢から引込姿勢に変化した後、移動溝部３２に嵌合する。この嵌合により、フック体３６は、作動部材３を拘束した状態で、付勢手段３５の付勢力にてケース２２の後端側へと摺動されて引き込みを完了させる。また、この状態から、引戸の開操作によって、作動部材３がフック体３６と共にケース２２の前端側へ摺動され、付勢手段３５に付勢力を蓄積する。更に引戸が開操作されると、フック体３６は、自動復帰機構４を介した作動部材３の復帰作動により、係合凸部４４が移動溝部３２から回動溝部３３へ移行されて同（ａ）の待機姿勢へと切り換えられる。
【０００４】
なお、特許文献２には、以上のような引込ユニットと共に、引戸の移動速度を緩和する制動機構として、作動部材（ストッパピン）により押されて摩擦力を発生する緩衝部材を有した構造が開示されている。この制動力は、回転式ダンパーとは別途に付与され、作動部材がケース内の緩衝部材を押す力によって生じ引戸の速度に比例して増大される。
【先行技術文献】
【特許文献】
【０００５】
【特許文献１】特開２００５−２９０７６９号公報
【特許文献２】特開２００７−１６５２１号公報
【発明の概要】
【発明が解決しようとする課題】
【０００６】
上記した従来構造にあっては、引戸が閉操作されるとき、途中から付勢手段３５の付勢力により閉位置まで自動的に切り換えられるため、引戸の不完全な閉状態の発生を確実に解消できる。しかしながら、従来構造では、例えば、図１２に示したような左右の引戸Ａ，Ｂを引き違いに開閉する、いわゆる引き違い戸に適用して、各引戸Ａ，Ｂを途中から閉位置、及び途中から開位置にそれぞれ自動で引き込むようにする場合、引込ユニット２１Ａ〜２１Ｄを本体側の少なくとも４箇所に取り付けなくてはならず、経費及び取付工数が増大して採用自体が制約される。なお、図１２において、引込ユニット２１Ａは引戸Ａの閉時の引き込みを、引込ユニット２１Ｂは引戸Ｂの開時の引き込みを、引込ユニット２１Ｃは引戸Ａの開時の引き込みを、引込ユニット２１Ｄは引戸Ｂの閉時の引き込みを受け持つ。
【０００７】
そこで、本発明の目的は、簡略化を図りながら、例えば引戸の閉時及び開時において共に引き込み作動を付与でき、しかも引き違い戸の各引戸の閉時及び開時の各引き込み作動も構成簡易に実現できるようにし、それにより経費及び取付工数を抑えて用途拡大と使い勝手を向上することにある。
【課題を解決するための手段】
【０００８】
請求項１の発明は、移動体を本体側の第１位置から第２位置又は第２位置から第１位置に切り換える操作を助ける摺動補助機構を構成している引込ユニットにおいて、前記引込ユニットは、長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなり、一方側の前記ラッチが前記ケースの係止溝に係止された状態で、前記移動体を、前記第２位置から第１位置の途中、又は第１位置から第２位置の途中まで切り換えると、前記引込ユニットに対応して設けられる作動部材により前記一方のラッチの前記係止を解除して、前記移動体を途中から前記付勢手段の付勢力により第１位置又は第２位置まで引き込むことを特徴としている。
【０００９】
なお、以上の本発明において、移動体としては引戸以外に引出なども含まれる。本体としては引戸用の枠や引出用の収納部なども含まれる。第１位置は移動体の完全な閉位置或いは開位置を示し、これには移動体を収納部に完全に押し入れた閉位置或いは引き出した開位置も含まれる。第２位置は移動体の完全な開位置或いは閉位置を示し、これには移動体を収納部から完全に引き出した開位置或いは押し入れた閉位置も含まれる。請求項５〜７において、作動部材は、「一方のラッチの前記係止を解除し、かつ当該作動部材を該ラッチと共に前記他方のラッチ側へ付勢手段を介した接近駆動を伴って第１位置又は第２位置まで（移動体を）引き込む」よう機能すれば、各形態の係合ピンに限られず、特許文献１や２のようなピン構成でもよい。
【００１０】
（ア）請求項２の発明は、請求項１において、前記ラッチは外面に突設された凸部を有し、前記凸部が前記係止溝に係合されることを特徴としている。
（イ）請求項３の発明は、請求項１又は２において、前記ラッチは、前記シリンダー及び前記ピストンロッド先端にそれぞれ設けられたスライダーに枢支されていることを特徴としている。
（ウ）請求項４の発明は、請求項３において、前記付勢手段は一端が前記スライダーの一方に係止され、他端が前記スライダーの他方に係止されているコイルスプリングであり、前記スライダー同士を接近する方向へ付勢可能にすることを特徴としている。
【００１１】
（エ）請求項５の発明は、移動体を本体側の閉位置から開位置又は開位置から閉位置に切り換える操作を助ける摺動補助機構において、長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の枠上辺に備えられ、前記移動体が引戸であって前記ケースの係止溝に対する前記ラッチの係止を解除する作動部材を突設しており、一方側の前記ラッチが前記ケースの係止溝に係止された状態で、前記引戸を、前記開位置から閉位置の途中、又は前記閉位置から開位置の途中まで切り換えると、前記作動部材により前記一方のラッチの前記係止を解除し、かつ当該作動部材を該ラッチと共に前記他方のラッチ側へ前記付勢手段を介した接近駆動を伴って閉位置又は開位置まで引き込むことを特徴としている。
【００１２】
（オ）請求項６の発明は、移動体を本体側の閉位置から開位置又は開位置から閉位置に切り換える操作を助ける摺動補助機構において、長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の枠下辺に備えられ、前記移動体が引戸であって前記ケースの係止溝に対する前記ラッチの係止を解除する作動部材を突設しており、一方側の前記ラッチが前記ケースの係止溝に係止された状態で、前記引戸を、前記開位置から閉位置の途中、又は前記閉位置から開位置の途中まで切り換えると、前記作動部材により前記一方のラッチの前記係止を解除し、かつ当該作動部材を該ラッチと共に前記他方のラッチ側へ前記付勢手段を介した接近駆動を伴って閉位置又は開位置まで引き込むことを特徴としている。
なお、請求項５と６の特定は、例えば、前記移動体は引き違い戸であり、前記引込ユニットは前記引き違い戸を配置している前記本体の枠上辺又は／及び枠下辺の略中間部に取り付けられる構成である。
【００１３】
（カ）請求項７の発明は、移動体を本体側の押込位置から引出位置又は引出位置から押込位置に切り換える操作を助ける摺動補助機構において、長手方向の両端側に係止溝を有したケースと、シリンダー及びピストンロッドからなる制動手段と、前記シリンダー及び前記ピストンロッド先端側にそれぞれ回動可能に枢支されているラッチと、前記両ラッチ間に設けられてラッチ同士を接近する方向へ付勢している付勢手段とからなる引込ユニットが、前記本体の収納部に備えられ、前記移動体が引出体であって前記ケースの係止溝に対する前記ラッチの係止を解除する作動部材を突設しており、一方側の前記ラッチが前記ケースの係止溝に係止された状態で、前記引出体を、前記引出位置から押込位置の途中、又は前記押込位置から引出位置の途中まで切り換えると、前記作動部材により前記一方のラッチの前記係止を解除し、かつ当該作動部材を該ラッチと共に前記他方のラッチ側へ前記付勢手段を介した接近駆動を伴って押込位置又は引出位置まで引き込むことを特徴としている。
（キ）請求項８の発明では、請求項５，６，７のいずれかにおいて、前記ラッチは、前記シリンダー及び前記ピストンロッド先端にそれぞれ設けられたスライダーに枢支されていることを特徴としている。
（ク）請求項９の発明は、請求項８において、前記付勢手段は一端が前記スライダーの一方に係止され、他端が前記スライダーの他方に係止されているコイルスプリングであり、前記スライダー同士を接近する方向へ付勢可能にすることを特徴としている。
【発明の効果】
【００１４】
請求項１及び５〜７の発明では、引込ユニットがケースと、シリンダー及びピストンロッドからなる制動手段と、ラッチ並びに単一の付勢手段からなり、移動体を閉（請求項７では押込位置）から開方向へ切り換える途中、及び開（請求項７では引出位置）から閉方向へ切り換える途中、つまり移動体を途中から付勢手段の付勢力により自動的に引き込んで閉位置（請求項７では押込位置）又は開位置（請求項７では引出位置）にに切り換えるため、従来構造に比べて簡易化による経費及び取付工数を抑えて用途拡大と使い勝手を向上できる。
【００１５】
請求項２の発明ではラッチがケースの係止溝に係合する凸部を有し、請求項３及び８の発明ではラッチがシリンダー及びピストンロッド先端にそれぞれ設けられたスライダーに枢支されていることから、特に一対のスライダー、つまり同形か類似の部材で構成可能なため、例えば、各スライダーの形状やケースに対する摺動案内構成なども簡略化できる。
【００１６】
請求項４及び９の発明では、付勢手段が特許文献１と同様な簡明なコイルスプリングであり、かつコイルスプリングの付勢力に抗して前記スライダー同士を離間させる、要は引張りコイルスプリングからなる。
【００１７】
【００１８】
【００１９】
【００２０】
【００２１】
【図面の簡単な説明】
【００２２】
【図１】（ａ）は第１形態の引込ユニットの下面図、（ｂ）は側面図、（ｃ）は上面図、（ｄ）は右端面図である。
【図２】図１（ｂ）のＡ−Ａ線矢視拡大断面図である。
【図３】図１（ｂ）のＢ−Ｂ線矢視拡大断面図である。
【図４】（ａ）は上記引込ユニットと引き違い戸を配置している本体側の枠との関係を示す模式図、（ｂ）は引き違い戸を開位置に切り換えた開口部の全開状態を示す模式図、（ｃ）は引き違い戸を閉位置に切り換えた開口部の全閉状態を示す模式図である。
【図５】（ａ）と（ｂ）は図４（ａ）の状態における引込ユニットの要部を示す模式図である。
【図６】（ａ）と（ｂ）は図４（ｂ）と（ｃ）の状態における引込ユニットの要部を示す模式図である。
【図７】（ａ）は上記引込ユニットのケースを示す下面図、（ｂ）は側面図、（ｃ）は（ａ）のＣ−Ｃ線矢視断面図である。
【図８】（ａ）は上記ケースのカバーを示す上面図、（ｂ）は側面図、（ｃ）は（ａ）のＤ−Ｄ線矢視断面図である。
【図９】（ａ）は上記引込ユニットのラッチを示す外観図、（ｂ）と（ｃ）は上記引込ユニットの２つのスライダーを示す外観図である。
【図１０】（ａ）と（ｂ）は上記引込ユニットの２つの適用例を示す模式図である。
【図１１】特許文献１の機構要部を示す説明図である。
【図１２】特許文献１の機構を引き違い戸に適用する場合の説明図である。
【発明を実施するための最良の形態】
【００２３】
本発明の形態を図面を参照しながら説明する。なお、各図では作図上一部を省略したり簡略化している。図５及び図６は作動を分かり易くするため制動手段であるピストン式ダンパーを省略した。以下の説明では、機構特徴、形態の引込ユニット及び組立と作動の順に詳述する。
【００２４】
（機構特徴）本発明の摺動補助機構は、図１０に例示されるごとく本体７側に取り付けられる引込ユニット６又は６Ａと、移動体として引戸Ａ〜Ｃ側に設けられる作動部材としての複数の係合ピン９とからなる。ここで、本体７は、例えば、開口部を有したキッチンや棚等、或いは収納空間を有した机や複写機等である。移動体は、引戸Ａ，Ｂ又は引戸Ｃに限られず、物入れ用の引出体等であってもよく、本体７の開口部や収納空間に設けられたガイドレールなどに沿って閉位置（引出体では押入位置に相当する）と開位置（引出体では引出位置に相当する）との間で摺動可能に配置される。また、引込ユニット６又は６Ａは、図１０に例示したように対象となる移動体のタイプにより、次の２種類の構成に大別される。
【００２５】
第１の構成は、形態に挙げた引込ユニット６である。この引込ユニット６は、移動体として、図１０（ａ）の引き違い戸を構成している各引戸Ａ，Ｂをそれぞれ引き込むような場合に用いられるもので、本体７側に取り付けられるケース１と、該ケースにそれぞれ摺動自在に配置される第１動部材及び第２動部材（形態では一対のスライダー２Ａ，２Ｂ）と、前記各動部材にそれぞれ枢支されていると共に、ケース１側の対応部に解除可能に係止される対のラッチ５と、前記両動部材の間に設けられて各動部材のラッチ支持部同士を接近する方向へ付勢している付勢手段３とを単位とし、この２組をケース１に対し配置している。引込ユニット６を用いる場合は、引戸Ａ及び引戸Ｂに対し係合ピン９をそれぞれ２本づつ突設することになる。
【００２６】
第２の構成は、図１０（ｂ）に例示した移動体として単一の引戸Ｃを本体７Ａの開口部に対し摺動するような場合に用いられる引込ユニット６Ａである。引込ユニット６Ａは、図示を省いたが、摺動自在にそれぞれ配置される第１動部材及び第２動部材（形態では一対のスライダー２Ａ，２Ｂ）と、前記各動部材にそれぞれ枢支されていると共に、ケース１側の対応部に解除可能に係止される対のラッチ５と、前記両動部材の間に設けられて各動部材のラッチ支持部同士を接近する方向へ付勢している付勢手段３とをケース（この構成ではケース１の略半分の大きさとなる）に対し配置している。換言すると、引込ユニット６Ａは、図２及び図３から片側のスライダー２Ａ，２Ｂと、付勢手段３及び制動手段４と、ラッチ５，５とを省略した構成であり、以下の引込ユニット６から容易に理解されることからこれ自体の説明は省く。また、この引込ユニット６Ａを用いる場合は移動体である引戸Ｃに対し２本の係合ピン９を突設する。
【００２７】
（形態の引込ユニット）図１は引込ユニットを示し、図２及び図３は引込ユニットの内部構成を示し、図４と図１０は使用例を示し、図５及び図６は要部作動を示し、図７〜図９は引込ユニットの構成部材を示している。形態の引込ユニット６は、ケース１に配置されて互いに接離する方向へ摺動される対のスライダー２Ａ，２Ｂと、スライダー２Ａ，２Ｂ同士を接近する方向へ付勢している付勢手段３と、各スライダー２Ａ，２Ｂにそれぞれ枢支されていると共に、ケース１の対応部に解除可能に係止されることによりスライダー同士を離間した状態に保持可能な対のラッチ５，５とからなる。
【００２８】
このうち、ケース１は、図１と図７及び図８に示されるごとく下側を開口した空間部１０と、空間部１０の左右に張り出している本体側への取付部１０ａとを一体に形成していると共に、空間部１０を閉じるよう取り付けられるカバー１５などを有している。空間部１０は、細長い矩形の容器状をなし、上面１１と両側面１２と左右の端面１３で区画されている。カバー１５は、空間部１０にほぼ収まる偏平容器状をなし、内側が下面１６と両側面１７と左右の端面１８並びに内部を二分している仕切部１７ｂにて区画されている。なお、本形態例では、ケース１が下側を開口した空間部としたが、本件ユニットを底面部或いは側部に設置することも可能であり、その場合は前記空間部が下側に開口せず、上側を開口した空間部や側面部を開口した空間部となる。
【００２９】
そして、両側面１２及び両側面１７には、カバー１５を空間部１０に配置したときに互いに係合する凸状係止部１２ａと穴状係合部１７ａとが複数対に設けられている。各端面１３及び各端面１８には、カバー１５を空間部１０に配置したときにそれぞれ内外を連通して係合ピン９を通す凹又は逆凹形の開口１３ａ，１８ａが片側２箇所で左右対に設けられている。また、カバー側の下面１６には、ガイド孔１８ｂが左右の各開口１８ａ，１８ａを連通するよう形成されている。このため、係合ピン９は、ケース１に対し端面１３の開口１３ａと、端面１８の開口１８ａから、ガイド孔１８ｂに沿ってケース１内に出入り可能となっている。
【００３０】
また、上面１１及び下面１６には、取付孔１２ｃ，１６ａと、２本のスライダー用ガイド溝１２ｂ，１６ｂと、２本のラッチ用ガイド溝１４，１９とがほぼ対向して設けられている。このうち、取付孔１２ｃ，１６ａには、カバー１５を空間部１０に装着するときにねじＳが螺入される。各ガイド溝１２ｂ，１６ｂは、それぞれ対の直線溝であり、スライダー２Ａ，２Ｂの上下面に設けた突起２２又は３２と嵌合した状態でスライダー２Ａ，２Ｂの摺動を案内する。各ガイド溝１４，１９は、それぞれガイド溝１２ｂ，１６ｂと平行な対の直線溝１４ａ，１９ａと、直線溝１４ａ，１９ａの両側に設けられた略Ｌ形の係止溝１４ｂ，１９ｂとからなる。そして、各ガイド溝１４，１９は、ラッチ５が後述する上下面に設けられた凸部５２を有し、該凸部５２を嵌合した状態で直線溝１４ａ，１９ａに沿ったラッチ５の摺動を案内し、かつ、凸起５２が係止溝１４ｂ，１９ｂと係合することでラッチ５（及びスライダー）の摺動を係止する。なお、各係止溝１４ｂ，１９ｂは、先端の溝幅が立ち上がり基部の溝幅より多少大きく形成されていて、ラッチ５の凸部５２が係合したときに不用意に係止解除されないよう工夫されている。
【００３１】
スライダー２Ａ，２Ｂは、図２及び図３と図９に示されるごとく上記したケース側上面１２とカバー側下面１６との間の空間に配置されるブロック状をなし、上下面２０，２１又は上下面３０，３１に突起２２又は３２を形成していると共に、ラッチ５の動きを規制する溝２３又は３３を有している点、ブロック状の側面に付勢手段３であるコイルばねの対応する端部を係止する係止軸２５又は３５を形成している点、図５のごとくラッチ５をシャフト８を介して回動可能に枢支する軸孔２６又は３６を形成している点で共通している。ここで、各突起２２，３２は、上下面の一端から他端側に向けて直線状に延びており、上記したガイド溝１２ｂ，１６ｂと嵌合する。各溝２３，３３は、軸孔２６又は３６が設けられている側に位置し、一端から他端側に向けて直線状に延びている。係止軸２５，３５及び軸孔２６，３６は、ブロック状の片側部に一段突出した支持部２４又は３４を設け、係止軸２５，３５がその支持部２４又は３４の端面に突出されると共に、軸孔２６，３６が該支持部２４又は３４を上下に貫通している。
【００３２】
また、スライダー２Ａには、前記支持部２４と反対側の片側部に沿って配置された断面略Ｕ形の保持部２７と、該保持部２７の一端側に位置して保持部２７より径小なＵ形クランプ部２８ａと、保持部２７の他端側に位置してクランプ部２８ａより径小なＵ形クランプ部２８ｂとが設けられている。一方、スライダー２Ｂには、前記支持部３４と反対側の片側部に沿って貫通されている保持孔３７と、該保持孔３７の孔内の一部を径小にした取付孔３８（図２を参照）とが設けられている。
【００３３】
なお、スライダー２Ａ，２Ｂは、一方が係止状態で他方が摺動されるとき、逆に他方が係止状態で一方が摺動されるとき、該摺動が制動手段４により制動される。そして、この形態では、その制動手段４としてピストン式ダンパーを使用した関係で、両スライダー２Ａ，２Ｂが異形状になっているが、制動手段として回転式ダンパーを使用するような場合は同形状や近似した形状に設定可能である。
【００３４】
また、以上のスライダー２Ａ，２Ｂには、ラッチ５が支持部２４，３４側の軸孔２６，３６に挿通されるシャフト８を介してそれぞれ回動可能に組み付けられる。このラッチ５は、図９に示されるごとくフック部５０と、フック部５０の基部両側から突出されている対のアーム部５１と、各アーム部５１の略中間部にそれぞれ同軸線上に設けられている軸孔５３と、各アーム部５１の端側の外面にそれぞれ突設されている凸部５２と、各アーム部５１の軸孔５３付近に設けられてフック部５０と同方向へ突出している支持部５４とを一体に有している。このうち、フック部５０は、図６に示されるごとくラッチ５がシャフト８を支点として回動された状態で、係合ピン９を拘束可能な形状となっている。各アーム部５１は、上記した支持部２４又は３４の板厚に対応した間隔を保っている。
【００３５】
（組立）以上の各部材は、例えば、各ラッチ５をスライダー２Ａ，２Ｂに枢支した後、スライダー２Ａ，２Ｂ同士を制動手段であるピストン式ダンパーに取り付ける。これを２組作製して、それらをケース１に付勢手段３と共に組み込み、かつケース１にカバー１５を取り付けることで引込ユニット６として完成される。
【００３６】
まず、各ラッチ５は、スライダー２Ａ，２Ｂに対し、支持部２４，３４側の軸孔２６，３６に挿通されるシャフト８を介してそれぞれ回動可能に組み付けられる。すなわち、各ラッチ５は、アーム部５１同士の間にスライダー２Ａの支持部２４、或いはスライダー２Ｂの支持部３４を配置し、かつ軸孔５３と軸孔２６、或いは軸孔５３と軸孔３６とを一致させた後、シャフト８が各軸孔に挿通されることにより、スライダー２Ａ又は２Ｂに対し回動可能に枢支される。なお、シャフト８の両端は適宜に抜け止めされる。
【００３７】
次に、スライダー２Ａとスライダー２Ｂとは、制動手段４であるピストン式ダンパーを介して連結される。このピストン式ダンパーとしては公知のもの（例えば、特開２００６−２９５６４号等）であればよく、シリンダー４０及び該シリンダー４０に緩やかに出没されるピストンロッド４１を有し、ピストンロッド４１が固定されているシリンダー４０に対し緩やかに駆動したり、シリンダー４０が固定されているピストンロッド４１に対し緩やかに駆動する構成であればよい。そして、この形態において、スライダー２Ａは、図２に示されるごとくシリンダー先端部を保持部２７内に径方向から押し入れて拘束すると共に、シリンダー対応部を両端のクランプ部２８ａ，２８ｂに係合した状態でシリンダー４０に対して装着される。これに対し、スライダー２Ｂは、ピストンロッド４１の先端部を保持孔３７に一端側より挿入した状態で、保持孔３７の他端側よりねじＳ1を取付孔３８を介してピストンロッド４１の先端側に係止した状態でピストンロッド４１に対して装着される。
【００３８】
次に、以上のラッチ５付きのスライダー２Ａと２Ｂ、制動手段４、付勢手段３を組とし、その２組がケース１に対し配置されると共にカバー１５により覆われる。ここでは、例えば、図５に示されるごとくケース１のガイド溝１２ｂに対しスライダー２Ａとスライダー２Ｂがその対応する突起２２又は突起３２を嵌合し、ケース１のガイド溝１４に対し各ラッチ５がその対応する凸部５２を嵌合し、その状態から、付勢手段３であるコイルスプリングがスライダー２Ａと２Ｂとの間に配置される。つまり、該コイルスプリングは、一端がスライダー２Ａの係止軸２５に係止され、他端がスライダー２Ｂの係止軸３５に係止されることでスライダー２Ａ，２Ｂ同士を接近する方向へ付勢可能となる。
【００３９】
以上の状態から、好ましくは図５に示されるごとくスライダー２Ａとスライダー２Ｂとを付勢手段３の付勢力に抗して最大Ｌまで離間させ、スライダー２Ａ側のラッチ５の凸部５２を一方の係止溝１４ｂに係合し、スライダー２Ｂ側のラッチ５の凸部５２を他方の係止溝１４ｂに係合しておく。この過程において、スライダー２Ａ側のラッチ５とスライダー２Ｂ側のラッチ５は、図６と図５に示されるごとくフック部５０を当該スライダー側に接近する姿勢（係合ピン９と係合する姿勢、以下、これを引込姿勢という）から、シャフト８を支点としてフック部５０を当該スライダー側より離間する姿勢（係合ピン９と係合解除する姿勢、以下、これを非引込姿勢という）へ回動される。引込姿勢では、ラッチ５が支持部５４をスライダー２Ａの溝２３、又はスライダー２Ｂの溝３３と嵌合した状態でその姿勢に保たれる。最後に、カバー１５がケース１に取り付けられる。この操作では、カバー１５がケース側空間部１０に配置された後、複数のねじＳがケース側取付孔１２ａからカバー側取付孔１６ａに螺入される。
【００４０】
（作動）作製された摺動補助機構の主要部となる引込ユニット６は、上記した組立状態において、各スライダー２Ａ，２Ｂ及び各ラッチ５並びに制動手段４、付勢手段３がケース側上面１２とカバー側下面１６との間に挟み込まれている。各スライダー２Ａ，２Ｂは、上下の突起２２，３２が対応する上下のガイド溝１２ｂ，１６ｂに嵌合され、該嵌合状態を保って摺動される。各ラッチ５は、上下の凸部５２が対応する上下のガイド溝１４，１９に嵌合され、各凸部５２が直線溝１４ａ，１９ａに嵌合すると上記した引込姿勢となり、各凸部５２が係止溝１４ｂ，１９ｂに係合すると上記した非引込姿勢に切り換えられる。
【００４１】
次に、具体的な作動を図１０（ａ）と図４〜図６を参照しながら詳述する。なお、図４は以上の摺動補助機構（引込ユニット６）を図１０（ａ）の引き違い戸に適用した場合を模式的に示し、符号７０は本体７側の開口部に設けられた引戸用枠の上辺側ガイドレールを想定している。図４（ａ）は引戸Ａ，Ｂを半開きした状態であり、ガイドレール７０側に取り付けられる引込ユニット６と、引戸Ａ，Ｂに設けられる各係合ピン９の概略的な位置関係を示している。
【００４２】
（１）図４において、引戸Ａ，Ｂを開位置に切り換えて開口部を全開する場合は、引戸Ａだと同（ａ）の開（半開）から右側へ摺動操作し、引戸Ｂだと同（ａ）の開（半開）から同図の左側へ摺動操作する。すると、引戸Ａは、開位置の手前（途中）まで摺動されると、図５（ｂ）のごとく左側の係合ピン９がスライダー２Ａ側のラッチ５のフック部５０の内側に当たる。ラッチ５は、その応力によりシャフト８を支点として逆時計回りに回動されて、各凸部５２が係止溝１４ｂ，１９ｂから係止解除されて直線溝１４ａ，１９ａに嵌合し、図６（ａ）のごとく係合ピン９をフック部５０で拘束した引込姿勢に切り換えられる。すると、スライダー２Ａは、ラッチ５と共に付勢手段３の付勢力によりスライダー２Ｂ側へ引き込まれる。この場合、スライダー２Ａは上下の突起２２が上下のガイド溝１２ｂ，１６ｂに沿って案内され、ラッチ５は上下の凸部５２が上下の直線溝１４ａ，１９ａに沿って案内される。なお、引戸Ｂも引戸Ａと同様にして開位置に切り換えられる。また、この形態では、引戸Ａ，Ｂが前記した付勢手段３の付勢力により摺動されるときは上記した制動手段４の制動を受けて緩やかに摺動される。
【００４３】
（２）図４において、引戸Ａ，Ｂを閉位置に切り換えて開口部を全閉する場合は、引戸Ａだと同（ａ）の開（半開）、或いは同（ｂ）の開位置から左側へ摺動操作し、引戸Ｂだと同（ａ）の開（半開）、或いは同（ｂ）の開位置から右側へ摺動操作する。すると、引戸Ａは、閉位置の手前（途中）まで摺動されると、図５（ｂ）のごとく右側の係合ピン９がスライダー２Ｂ側のラッチ５のフック部５０の内側に当たる。ラッチ５は、その応力によりシャフト８を支点として時計回りに回動されて、各凸部５２が係止溝１４ｂ，１９ｂから係止解除されて直線溝１４ａ，１９ａに嵌合し、図６（ｂ）のごとく係合ピン９をフック部５０で拘束した引込姿勢に切り換えられる。すると、スライダー２Ｂは、ラッチ５と共に付勢手段３の付勢力によりスライダー２Ａ側へ引き込まれる。この場合、スライダー２Ｂは上下の突起３２が上下のガイド溝１２ｂ，１６ｂに沿って案内され、該ラッチ５は上下の凸部５２が上下の直線溝１４ａ，１９ａに沿って案内される。なお、引戸Ｂも引戸Ａと同様にして閉位置に切り換えられる。また、この形態では、引戸Ａ，Ｂが前記した付勢手段３の付勢力により摺動されるときは上記した制動手段４の制動を受けて緩やかに摺動される。
【００４４】
なお、本発明は、請求項で特定された要件を除いて適宜に変更可能なものである。また、本発明の摺動補助機構及び引込ユニットは、用途的な制約は特になく、例えば、移動体が引出体やトレーであれば、押込位置が上記形態の閉位置と同じ意味となり、引出位置が上記形態の開位置と同じ意味となる。
【符号の説明】
【００４５】
１…ケース（１５はカバー）
２Ａ…スライダー（２２は突起、２６は軸孔、２５は係止軸、２７は保持部）
３…付勢手段
４…制動手段（４０はシリンダー、４１はピストンロッド）
５…ラッチ（５０はフック部、５１はアーム部、５２は凸部、５３は軸孔）
６，６Ａ…引込ユニット
８…シャフト
９…係合ピン（作動部材）
１２ｂ，１６ｂ…ガイド溝
１４…ガイド溝（１４ａは直線溝、１４ｂは係止溝）
６０…ラック（６５は突部、６４は支持板部、６５は歯部、６７は係止軸）
７１…スライダー（７４は係合凹部、７７は係止軸、７８，７９は突起）
Ａ〜Ｃ…引戸（移動体）
【図１】
0005105629.tif 000002
【図２】
0005105629.tif 000003
【図３】
0005105629.tif 000004
【図４】
0005105629.tif 000005
【図５】
0005105629.tif 000006
【図６】
0005105629.tif 000007
【図７】
0005105629.tif 000008
【図８】
0005105629.tif 000009
【図９】
0005105629.tif 000010
【図１０】
0005105629.tif 000011
【図１１】
0005105629.tif 000012
【図１２】
0005105629.tif 000013